【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
有限要素モデルに関して解析を実行するシステムにおいて、
前記システムは、
特定の有限要素モデルに特有でない有限要素後処理フレームワークと、
エンドユーザから入力を受け取るように構成され、前記後処理フレームワークをカスタマイズすることに関係付けられた入力を受け取り、それにより前記後処理フレームワークが特定の有限要素モデルに適用できるユーザインターフェイスコンポーネントと、
前記後処理フレームワークをカスタマイズすることに基づいて、前記特定の有限要素モデルに関して後処理を実行するように構成された後処理コンポーネントとを具備するシステム。
【請求項２】
前記後処理フレームワークをカスタマイズすることは、前記後処理フレームワークに関係付けられた１つ以上のプロセスを制御するための制御ファイルを構成することを含む請求項１記載のシステム。
【請求項３】
前記後処理フレームワークは、オブジェクト指向のプログラミングを使用して実現される請求項１記載のシステム。
【請求項４】
前記エンドユーザからの入力は、
前記有限要素モデルに特有のインターフェイス情報と、
前記有限要素モデルに特有の局所座標情報と、
前記有限要素モデルに特有のコンポーネント情報と、
前記後処理から結果として生じるサマリテーブルを発生させる際に使用するためのサマリテーブルプリファランスとを含む請求項１記載のシステム。
【請求項５】
前記エンドユーザからの入力は、
前記有限要素モデルに特有であり、ノード座標情報、要素識別子情報、符号規約情報、および線形結合情報を含むインターフェイス情報と、
前記有限要素モデルに特有の局所座標情報と、
前記有限要素モデルに特有であり、ラベル情報、基準点情報、および境界情報を含むコンポーネント情報と、
前記後処理から結果として生じるサマリテーブルを発生させる際に使用するためのサマリテーブルプリファランスとを含み、
前記サマリテーブルプリファランスは、見出し情報、脚注情報、および自由度情報を含む請求項１記載のシステム。
【請求項６】
前記有限要素後処理フレームワークは、１つ以上のデータ構造に少なくとも部分的に基づいており、
前記１つ以上のデータ構造は、
データベース要素と、
それぞれ２つの構造的コンポーネントを接続する自由度の集合を含むインターフェイス要素と、
境界インターフェイスを集めて、コンポーネントの負荷バランステーブルを組み立てるためのフリーボディ要素と、
インターフェイスの選択を処理およびソートして、サマリテーブルを発生させるためのサマリ要素と、
ユーティリティ機能要素と、
プロセス全体の流れと後処理の範囲とにしたがってインスタンス化される後要素と、
グラフィカルユーザインターフェイス要素とを含む請求項１記載のシステム。
【請求項７】
前記インターフェイスに入力を提供するとき、前記エンドユーザがハードコーディングを実行しない請求項１記載のシステム。
【請求項８】
前記エンドユーザからの入力は、
前記有限要素モデルに特有のインターフェイス情報、前記有限要素モデルに特有の局所座標情報、前記有限要素モデルに特有のコンポーネント情報、および前記後処理から結果として生じるサマリテーブルを発生させる際に使用するためのサマリテーブルプリファランスを含み、
前記有限要素後処理フレームワークは、１つ以上のデータ構造に少なくとも部分的に基づいており、
前記１つ以上のデータ構造は、
データベース要素と、
それぞれ２つの構造的コンポーネントを接続する自由度の集合を含むインターフェイス要素と、
境界インターフェイスを集めて、コンポーネントの負荷バランステーブルを組み立てるためのフリーボディ要素と、
インターフェイスの選択を処理およびソートして、サマリテーブルを発生させるためのサマリ要素と、
ユーティリティ機能要素と、
プロセス全体の流れと後処理の範囲とにしたがってインスタンス化される後要素と、
グラフィカルユーザインターフェイス要素とを備える請求項１記載のシステム。
【請求項９】
有限要素モデルの処理を行う方法において、
前記方法は、
１つ以上の制御命令を発生させて、特定の有限要素モデルに適用できるカスタマイズされた処理ルーチンを規定する際に使用するための入力を受け取り、前記入力を受け取ることは、ユーザがプログラミング言語でプログラミングコードを書いたりまたは書き直したりすることを含まないことと、
前記受け取られた入力に基づいて、前記１つ以上の制御命令を発生させ、これは前記受け取られた入力を一般的な処理フレームワークに適用することを含み、前記制御命令を発生させることは、ユーザがプログラミングコードを書いたりまたは書き直したりすることを含まないこととを含む方法。
【請求項１０】
前記１つ以上の制御命令に基づいて、１つ以上の有限要素モデルに関して後処理を実行することをさらに含む請求項９記載の方法。
【請求項１１】
前記１つ以上の制御命令に基づいて、１つ以上の有限要素モデルに関して後処理を実行することをさらに含み、
後処理において、
前記１つ以上の制御命令に少なくとも部分的に基づいて、後処理のための構成を規定することと、
前記１つ以上の制御命令に少なくとも部分的に基づいて、インターフェイス負荷を処理することと、
前記１つ以上の制御命令に少なくとも部分的に基づいて、負荷バランスを処理することと、
前記１つ以上の制御命令に少なくとも部分的に基づいて、サマリテーブルを処理することとを含む請求項９記載の方法。
【請求項１２】
前記受け取られた入力は、コンピュータ読取り可能媒体上に記憶された１つ以上のデータ構造中に集められ、前記１つ以上のデータ構造のそれぞれは、
前記有限要素モデルに特有のインターフェイス情報と、
前記有限要素モデルに特有の局所座標情報と、
前記有限要素モデルに特有のコンポーネント情報と、
前記有限要素モデルに特有のサマリテーブルプリファランスと、
を備えるグループからの１つ以上のタイプの情報を含む請求項９記載の方法。
【請求項１３】
前記一般的な処理フレームワークは、オブジェクト指向の後処理フレームワークである請求項９記載の方法。
【請求項１４】
前記処理フレームワークは、有限要素解析アプリケーションの後処理の観点に関係付けられている請求項９記載の方法。
【請求項１５】
前記入力は、エンドユーザのインターフェイスを通して受け取られ、データを含むが、データ間の明示的な関係を含まない請求項９記載の方法。
【請求項１６】
前記制御命令を発生させることは、制御コンポーネントエンジンにより、少なくとも部分的に実行される請求項９記載の方法。
【手続補正２】
【補正対象書類名】明細書
【補正対象項目名】００２４
【補正方法】変更
【補正の内容】
【００２４】
例えば、エンドユーザにより提供されるように、サマリテーブルデータ構造３４０は、同様に、見出し情報３４２、脚注情報３４４、および自由度（ＤＯＦ）情報３４６を含んでもよい。サマリテーブルデータ構造３４０のコンテンツの例を次のテーブル中に図示する。
【表５】
2008537261.tif 000001
【手続補正３】
【補正対象書類名】明細書
【補正対象項目名】００２５
【補正方法】変更
【補正の内容】
【００２５】
上述したこの集合情報だけでなく他の情報も組み合わせて、解析の下の有限要素モデルに特有の、後処理プログラムまたは他の後処理ルーチン中で使用される後処理制御ファイルを構成してもよい。このようにして、エンドユーザにより使用することが容易であり何らかのハードコーディングを必要としない方法で、プログラミングをしないエンドユーザが、特定の有限要素モデルに適合する後処理プログラムをカスタマイズできるようにする、オブジェクト指向の後処理スキームのような、一般的な後処理スキームに対して、カスタム情報を提供することができる。
【手続補正４】
【補正対象書類名】図面
【補正対象項目名】図１
【補正方法】変更
【補正の内容】
【図１】
2008537261.tif 000002